【手続補正書】
【提出日】平成17年7月12日(2005.7.12)
【手続補正１】
【補正対象書類名】明細書
【補正対象項目名】特許請求の範囲
【補正方法】変更
【補正の内容】
【特許請求の範囲】
【請求項１】
第１基板と第２基板に挟持された液晶層と、前記第２基板の前記液晶層側の面に形成された複数の走査信号線、画像信号線、第１電極、第２電極及びアクティブ素子を備え、前記第１電極と前記第２電極は前記液晶層に対し実質的に基板面と平行な電界が印加できるように構成された液晶装置において、
前記第１電極は前記第２電極上に絶縁膜を介して所定の線幅を有する線状形状で形成され、かつ前記第２電極と前記液晶層に対し、基板面と略平行な電界を発生させたとき、前記第１電極、第２電極とで形成される画素領域内に液晶分子の配列の変化する方向が異なる複数の領域を有することを特徴とする液晶装置。
【請求項２】
第１基板と第２基板の間に液晶層が挟持され、前記２基板の前記液晶層側の面には、走査信号又は画像信号を供給する信号線と、該信号線に電気的に接続されたアクティブ素子と、電極間に生じる電界によって前記液晶層を駆動する第１電極及び第２電極とが形成され、前記第１電極は前記アクティブ素子に接続される液晶装置において、
前記第１電極は前記第２電極上に第２絶縁膜を介して形成されるとともに、前記第１電極は所定の線幅を有する線状形状で構成されてなり、前記第１電極と前記第２電極の間に電界が生じたときに、前記液晶層の液晶分子が配向する方向が異なる複数の領域を有していることを特徴とする液晶装置。
【請求項３】
前記液晶分子の配列変化する方向が異なる複数の領域の面積はそれぞれほぼ等しいことを特徴とする請求項１又は請求項２に記載の液晶装置。
【請求項４】
前記第１電極と前走査信号線及び、画像信号線のいずれにも平行または垂直でない部分を有することを特徴とする請求項１乃至３のいずれか１項に記載の液晶装置。
【請求項５】
前記第１電極は概ねひらがなの“く”の字形状に形成されていることを特徴とする請求項４の液晶装置。
【請求項６】
前記第１電極は概ねアルファベットの“Ｕ”の斜字形状“Ｕ”に形成されていることを特徴とする請求項４の液晶装置。
【請求項７】
前記第１電極は概ねアルファベットの“Ｎ”の斜字形状“Ｎ”に形成されていることを特徴とする請求項４の液晶装置。
【請求項８】
液晶の誘電異方性が負であり、前記第１電極線状形状の長手方向と液晶分子の初期配向方位との角度をφとしたとき、φの満たす関係は４５度≦φ＜９０度であることを特徴とする請求項１又は請求項２に記載の液晶装置。
【請求項９】
請求項１乃至請求項８のいずれか１項に記載の液晶装置を備えたことを特徴とする投射型表示装置。
【請求項１０】
請求項１乃至請求項８のいずれか１項に記載の液晶装置を備えたことを特徴とする電子機器。
【手続補正２】
【補正対象書類名】明細書
【補正対象項目名】０００９
【補正方法】変更
【補正の内容】
【０００９】    【課題を解決するための手段】  上記課題を解決するために本発明が講じた手段は、以下の通りである。  本発明の液晶装置は、第１基板と第２基板に挟持された液晶層と、前記第２基板の前記液晶層側の面に形成された複数の走査信号線、画像信号線、第１電極、第２電極及びアクティブ素子を備え、前記第１電極と前記第２電極は前記液晶層に対し実質的に基板面と平行な電界が印加できるように構成された液晶装置において、前記第１電極は前記第２電極上に絶縁膜を介して所定の線幅を有する線状形状で形成され、かつ前記第２電極と前記液晶層に対し、基板面と略平行な電界を発生させたとき、前記第１電極、第２電極とで形成される画素領域内に液晶分子の配列の変化する方向が異なる複数の領域を有することを特徴とする。  また、本発明の液晶装置は、第１基板と第２基板の間に液晶層が挟持され、前記２基板の前記液晶層側の面には、走査信号又は画像信号を供給する信号線と、該信号線に電気的に接続されたアクティブ素子と、電極間に生じる電界によって前記液晶層を駆動する第１電極及び第２電極とが形成され、前記第１電極は前記アクティブ素子に接続される液晶装置において、前記第１電極は前記第２電極上に第２絶縁膜を介して形成されるとともに、前記第１電極は所定の線幅を有する線状形状で構成されてなり、前記第１電極と前記第２電極の間に電界が生じたときに、前記液晶層の液晶分子が配向する方向が異なる複数の領域を有していることを特徴とする液晶装置。
【手続補正３】
【補正対象書類名】明細書
【補正対象項目名】００１１
【補正方法】変更
【補正の内容】
【００１１】  本発明の液晶装置は、前記液晶分子の配列変化する方向が異なる複数の領域の面積はそれぞれほぼ等しいことを特徴とする。
【手続補正４】
【補正対象書類名】明細書
【補正対象項目名】００１７
【補正方法】変更
【補正の内容】
【００１７】  本発明の液晶装置は、前記第１電極は概ねアルファベットの“Ｕ”の斜字形状“Ｕ”に形成されていることを特徴とする。
【手続補正５】
【補正対象書類名】明細書
【補正対象項目名】００１８
【補正方法】変更
【補正の内容】
【００１８】  本発明によれば、液晶による視角変化の少ない液晶装置を実現することができる。１画素内の電極形状を“Ｕ“の字にすることで、横電界の方向が１画素内で多方向存在し、これによって液晶の配向状態を１画素内で多数つくることができ、視角変化の少ない液晶装置を実現することができる。また、液晶を第１基板と第２基板の長手方向またはこれと直交する方向に配向（電圧を印加していない時の初期配向）させることができる。このようにすることで、この液晶装置には第１基板と第２基板の長手方向またはこれと直交する方向に透過軸をもつ偏光を入射させることができる。例えば、投射型表示装置に用いられる偏光ビームスプリッタ（ＰＢＳ）はその構造上、出力される偏光の偏光方向は限定されるので、本発明の液晶装置は非常に都合が良いことになる。場合によっては１画素内に“Ｕ”の並べてマルチドメイン構造を安易に作ることができる。この場合、“Ｕ”の字を交互に上下逆に並べる。
【手続補正６】
【補正対象書類名】明細書
【補正対象項目名】００１９
【補正方法】変更
【補正の内容】
【００１９】  本発明の液晶装置は、前記第１電極は概ねアルファベットの“Ｎ”の斜字形状“Ｎ”に形成されていることを特徴とする。
【手続補正７】
【補正対象書類名】明細書
【補正対象項目名】００２０
【補正方法】変更
【補正の内容】
【００２０】  本発明によれば、液晶による視角変化の少ない液晶装置を実現することができる。１画素内の電極形状を“Ｎ“の字にすることで、横電界の方向が１画素内で多方向存在し、これによって液晶の配向状態を１画素内で多数つくることができ、視角変化の少ない液晶装置を実現することができる。また、液晶を第１基板と第２基板の長手方向またはこれと直交する方向に配向（電圧を印加していない時の初期配向）させることができる。このようにすることで、この液晶装置には第１基板と第２基板の長手方向またはこれと直交する方向に透過軸をもつ偏光を入射させることができる。例えば、投射型表示装置に用いられる偏光ビームスプリッタ（ＰＢＳ）はその構造上、出力される偏光の偏光方向は限定されるので、本発明の液晶装置は非常に都合が良いことになる。場合によっては１画素内に“Ｎ”の並べてマルチドメイン構造を安易に作ることができる。この場合、“Ｎ”の字を交互に上下逆に並べる。
【手続補正８】
【補正対象書類名】明細書
【補正対象項目名】００３０
【補正方法】変更
【補正の内容】
【００３０】  図１中の画素電極１０６はアクティブ素子が接続され、アクティブ素子のスイッチングにより、データ線（図省略）からデータに応じた任意の電位が書き込まれる。その電位に応じて、画素電極１０６と共通電極１０７の間に電界１１８が発生し、液晶分子５１３を駆動させる。１０６の長手方向１０９，１１０は平行でないので、２つの画素間で電界印加時の配向状態が異なり、視角変化の少ない液晶装置を実現することができた。例えば、液晶装置の全画面で白表示をした時、液晶はどの部分でも横電界によってほぼ同じ配向をしている。この概ね均一な液晶配向状態を偏光板を通して観察すると、従来の液晶装置と同様に視角特性が存在する。そこで、本発明のように隣り合う画素間でその電極の長手方向を非平行にすると、各画素間で液晶の配向状態(配向方向)が異なるので、視角変化の少ない液晶装置を実現することができる。また本実施例では図１（ａ）に示すようにアルファベットの“Ｕ”の斜字体“Ｕ”形状であるが、図２の“Ｎ”の斜字体“Ｎ”形状の電極でも実施した。図２の形状で視角変化の少ない液晶装置が実現できることを確認した。  ここで画素パターン形状は電極の長手方向が従来技術で述べた図８のゲート線７２２またはデータ線７２１に対して平行、非並行または斜めであると定義する。